(57)【要約】【課題】必要なとき任意の時点の位置情報を簡単に出力することができるカーナビゲーション装置を提供する。【解決手段】カーナビゲーション装置は、位置検出部１１、地図データ記憶部１２、制御部１３、メモリカードＩ／Ｆ部１７を含む。制御部１３は、車両の存在位置と走行日時とを対応付けた履歴情報を記憶するメモリを有する。メモリカード１０がメモリカードＩ／Ｆ部１７に装着されると、メモリカード１０に記憶される日時情報が、制御部１３に送られる。制御部１３は、履歴情報を参照して、日時情報が示す日時における車両の存在位置を確定する。そして、地図データ記憶部１２を参照して、車両の存在位置に対応する位置特定情報（地名、ランドマーク等）を求め、メモリカード１０に記憶する。【選択図】図１
2005300489.tif 000002
【特許請求の範囲】
【請求項１】
車両に搭載されるカーナビゲーション装置であって、
前記車両の存在位置と走行日時とを対応付けた履歴情報を記憶する履歴記憶部と、
外部の記憶装置に記憶された日時情報の入力を行うデータ入力手段と、
前記データ入力手段から入力された入力日時情報に基づいて、前記履歴記憶部を参照し、前記入力日時情報が示す日時に対応する前記車両の存在位置を特定する位置特定情報を求める位置情報特定手段と、
前記位置情報特定手段で求めた前記位置特定情報を出力するデータ出力手段と、を備えるカーナビゲーション装置。
【請求項２】
請求項１記載のカーナビゲーション装置であって、
前記データ入力手段は、可搬型記録媒体に記憶された日時情報を入力するカーナビゲーション装置。
【請求項３】
請求項１記載のカーナビゲーション装置であって、
前記データ入力手段は、外部電子機器との間でデータの送受信を行うことによって、前記日時情報を入力するカーナビゲーション装置。
【請求項４】
請求項３記載のカーナビゲーション装置であって、
前記データの送受信は、無線通信によるものであるカーナビゲーション装置。
【請求項５】
請求項１ないし４のいずれか１項記載のカーナビゲーション装置であって、
前記入力日時情報は、撮影画像情報に含まれる撮影日時情報であるカーナビゲーション装置。
【請求項６】
請求項５記載のカーナビゲーション装置であって、
前記データ入力手段は、合わせて前記撮影画像情報を入力し、
前記入力された撮影画像情報に基づく画像は、ナビゲーション装置が有する表示部に表示されるカーナビゲーション装置。
【請求項７】
請求項１ないし６のいずれか１項記載のカーナビゲーション装置であって
前記位置特定手段が求める前記位置特定情報は、緯度経度情報であるカーナビゲーション装置。
【請求項８】
請求項１ないし６のいずれか１項記載のカーナビゲーション装置であって
前記位置特定手段が求める前記位置特定情報は、地名情報であるカーナビゲーション装置。
【請求項９】
請求項１ないし６のいずれか１項記載のカーナビゲーション装置であって
前記位置特定手段が求める前記位置特定情報は、ランドマーク情報であるカーナビゲーション装置。
【請求項１０】
請求項８又は９記載のカーナビゲーション装置であって
前記位置特定手段が求める前記位置特定情報は、ナビゲーションに利用する地図データを参照して求めたものであるカーナビゲーション装置。
【請求項１１】
請求項１ないし１０のいずれか１項記載のカーナビゲーション装置であって
前記データ出力手段による前記位置特定情報の出力先は、入力された日時情報を記憶した前記外部記憶装置であるカーナビゲーション装置。
【請求項１２】
請求項１ないし１０のいずれか１項記載のカーナビゲーション装置であって
前記データ出力手段による前記位置特定情報の出力先は、入力された日時情報を記憶した前記外部記憶装置と異なる外部記憶装置であるカーナビゲーション装置。
【請求項１３】
請求項１ないし１０のいずれか１項記載のカーナビゲーション装置であって
前記データ出力手段による前記位置特定情報の出力先は、カーナビゲーション装置が有する表示装置であるカーナビゲーション装置。
【請求項１４】
請求項２記載のカーナビゲーション装置であって、
前記可搬型記録媒体は、ＥＴＣシステムに利用されるＩＣカードであり、
前記入力日時情報は、ＥＴＣシステムによる決済を行った日時情報であるカーナビゲーション装置。
【請求項１５】
請求項１４記載のカーナビゲーション装置であって、
前記データ出力手段による前記位置特定情報の出力先は、前記ＩＣカードと異なる外部記憶装置であるカーナビゲーション装置。
【請求項１６】
請求項１４記載のカーナビゲーション装置であって、
前記データ出力手段による前記位置特定情報の出力先は、カーナビゲーション装置が有する表示装置であるカーナビゲーション装置。
【発明の詳細な説明】
【技術分野】
【０００１】
本発明は、外部から入力される日時情報に対応する日時における車両位置を示す情報を出力可能なカーナビゲーション装置に関する。
【背景技術】
【０００２】
デジタルカメラやビデオカメラで撮影した撮影画像情報に、撮影地点情報を付加しておくことは、撮影した写真の整理やビデオ編集を行う際に有用である。従来、撮影地点情報の記録は、撮影の都度撮影者がメモしたり、デジタルカメラやビデオカメラに撮影場所情報を手動で記憶させたりすることで行っていた。しかし、このようなメモ作業やデータの入力作業は、撮影者の負担増になるとともに、記録モレが多々生じる。
【０００３】
撮影者の負担を減少させるものとして、位置情報の取得を行うＧＰＳ装置を内蔵したデジタルカメラやビデオカメラが提案されているが、構造が複雑化してコストの高騰やカメラの大型化など招く。
【０００４】
カーナビゲーション装置を利用して撮影画像情報に撮影地点情報を付加するものも提案されている（特許文献１参照）。特許文献１に示されるカーナビゲーション装置は、デジタルカメラから場所情報要求があった場合に、位置検出器から現在位置情報を読み込み、読み込んだ現在位置情報又は現在位置情報により示される現在位置を具象的に特定可能な場所情報をデジタルカメラに送信するものである。そして、デジタルカメラは、カーナビゲーション装置から受信した現在位置情報又は場所情報を記憶し、撮影画像データの記憶時に画像データと対応付けてこの現在位置情報又は場所情報を記憶するものである。
【０００５】
しかし、このカーナビゲーション装置は、デジタルカメラから場所情報要求があった時点の現在位置に関する情報を出力するものであるので、撮影画像データに撮影位置に関する情報を付加するためには、デジタルカメラでの撮影の都度通信を行う必要がある。
【０００６】
一方、ＤＲＳＣ（狭帯域通信）を利用したＥＴＣシステムが普及しているが、ＥＴＣシステムを利用して通信を行った地点情報を簡単に取得することができない状況である。現在、前払いサービス利用の場合については、ＥＴＣシステム利用による支払い明細をＷｅｂサイトで確認することによって、ＥＴＣサービスの利用状況を確認できるが、前払いサービスを利用していない場合、ＥＴＣシステムの利用状況の確認が簡単ではない。
【０００７】
【特許文献１】特開２００３−３２５９０号公報
【発明の開示】
【発明が解決しようとする課題】
【０００８】
本発明は、上記事情に鑑みてなされたもので、必要なとき任意の時点の位置情報を簡単に出力することができるカーナビゲーション装置を提供することを目的とするものである。そして、このカーナビゲーション装置を利用して、撮影画像の撮影地点情報や、ＥＴＣシステムの利用地点情報を簡単に取得することを目的とするものである。
【課題を解決するための手段】
【０００９】
本発明のカーナビゲーション装置は、車両に搭載されるカーナビゲーション装置であって、前記車両の存在位置と走行日時とを対応付けた履歴情報を記憶する履歴記憶部と、外部の記憶装置に記憶された日時情報の入力を行うデータ入力手段と、前記データ入力手段から入力された入力日時情報に基づいて、前記履歴記憶部を参照し、前記入力日時情報が示す日時に対応する前記車両の存在位置を特定する位置特定情報を求める位置情報特定手段と、前記位置情報特定手段で求めた前記位置特定情報を出力するデータ出力手段と、を備えるものである。本発明によれば、必要なとき任意の時点の位置情報を簡単に出力することができる。
【００１０】
本発明のカーナビゲーション装置は、前記データ入力手段が、可搬型記録媒体に記憶された日時情報を入力するものを含む。また、本発明のカーナビゲーション装置は、前記データ入力手段が、外部電子機器との間でデータの送受信を行うことによって、前記日時情報を入力するものを含む。さらに、本発明のカーナビゲーション装置は、前記データの送受信が、無線通信によるものであるものを含む。本発明によれば、各種記憶装置に記憶された日時情報に対応する位置情報を簡単に出力することができる。
【００１１】
本発明のカーナビゲーション装置は、前記入力日時情報が、撮影画像情報に含まれる撮影日時情報であるものを含む。本発明によれば、撮影画像情報に撮影地点情報を簡単に取得することができる。
【００１２】
本発明のカーナビゲーション装置は、前記データ入力手段が、合わせて前記撮影画像情報を入力し、前記入力された撮影画像情報に基づく画像が、カーナビゲーション装置が有する表示部に表示されるものを含む。本発明によれば、撮影画像を確認しながら撮影地点情報を簡単に取得することができる。
【００１３】
本発明のカーナビゲーション装置は、前記位置特定手段が求める前記位置特定情報が、緯度経度情報であるものを含む。また、本発明のカーナビゲーション装置は、前記位置特定手段が求める前記位置特定情報が、地名情報であるものを含む。また、本発明のカーナビゲーション装置は、前記位置特定手段が求める前記位置特定情報が、ランドマーク情報であるものを含む。本発明によれば、任意の時刻の車両位置を、簡単に把握することができる。
【００１４】
本発明のカーナビゲーション装置は、前記位置特定手段が求める前記位置特定情報が、ナビゲーションに利用する地図データを参照して求めたものであるものを含む。本発明によれば、位置特定情報の取得が簡単に行える。
【００１５】
本発明のカーナビゲーション装置は、前記データ出力手段による前記位置特定情報の出力先が、入力された日時情報を記憶した前記外部記憶装置であるものを含む。本発明によれば、日時情報が記憶された外部記憶装置に、その日時の位置情報を対応付けて記憶することができる。日時情報が、撮影画像情報に付加された撮影日時情報である場合には、撮影地点情報を簡単に記憶することができる。
【００１６】
本発明のカーナビゲーション装置は、前記データ出力手段による前記位置特定情報の出力先が、入力された日時情報を記憶した前記外部記憶装置と異なる外部記憶装置であるものを含む。本発明によれば、複数の外部記憶装置に記憶された日時情報に対応する位置特定情報を、まとめて１つの記憶装置に記憶することができる。
【００１７】
本発明のカーナビゲーション装置は、前記データ出力手段による前記位置特定情報の出力先が、カーナビゲーション装置が有する表示装置であるものを含む。本発明によれば、日時情報に対応する位置特定情報の確認を簡単に行うことができる。
【００１８】
本発明のカーナビゲーション装置は、前記可搬型記録媒体が、ＥＴＣシステムに利用されるＩＣカードであり、前記入力日時情報が、ＥＴＣシステムによる決済を行った日時情報であるものを含む。本発明によれば、ＥＴＣシステムの利用地点情報を簡単に取得することができる。
【００１９】
本発明のカーナビゲーション装置は、前記データ出力手段による前記位置特定情報の出力先が、前記ＩＣカードと異なる外部記憶装置であるものを含む。本発明によれば、ＥＴＣシステムの利用地点情報を外部に取り出して利用することができる。
【００２０】
本発明のカーナビゲーション装置は、前記データ出力手段による前記位置特定情報の出力先が、カーナビゲーション装置が有する表示装置であるものを含む。本発明によれば、ＥＴＣシステムの利用地点情報の確認を簡単に行うことができる。
【発明の効果】
【００２１】
以上の説明から明らかなように、本発明によれば、必要なとき任意の時点の位置情報を簡単に出力することができるカーナビゲーション装置を提供することができる。また、このカーナビゲーション装置を利用することにより、撮影画像の撮影地点情報や、ＥＴＣシステムの利用地点情報を簡単に取得することができる。
【発明を実施するための最良の形態】
【００２２】
以下、本発明の実施の形態について、図面を用いて説明する。
【００２３】
（第１の実施の形態）
図１に、本発明の第１の実施の形態のカーナビゲーション装置の概略構成を示す。図１のカーナビゲーション装置は、位置検出部１１、地図データ記憶部１２、制御部１３、操作部１４、表示部１５、音声出力部１６、メモリカードインタフェース部（メモリカードＩ／Ｆ部）１７を含んで構成される。
【００２４】
位置検出部１１は、車両の現在位置を検出するもので、例えばＧＰＳ装置であり、経度、緯度情報を出力する。検出精度を向上させるための各種センサとして、車両の方位を検出する地磁気センサや角速度センサ、ステアリングの回転センサ、車両の走行距離を検出する車速センサ等を含んでいてもよい。
【００２５】
地図データ記憶部１２は、例えばハードディスクのような情報記録装置や、ＣＤ−ＲＯＭやＤＶＤ−ＲＯＭのような大容量の情報記録媒体及びその読み取り装置等によって構成され、ナビゲーション時に利用する地図情報等の各種情報を記憶するものである。地図データ記憶部１２には、多種類の地図描画用データ及びマップマッチング用データの他に、ナビゲーションに利用される各種データベースを含んでいる。例えば、施設名称を記憶した施設名称データベース、この施設名称データベースに含まれる各施設についての具体的情報（施設名称、種類名、施設の位置データ等）を記憶した施設データベース、電話番号と施設の対応を示す電話番号データベース等が記憶される。
【００２６】
制御部１３は、ナビゲーション制御、日時情報に対応する車両の存在位置を特定する情報の抽出及び出力制御（詳細は後述する。）を含むカーナビゲーション装置の動作を制御するもので、所定のプログラムによって動作するプロセッサ（図示せず）を主体に構成される。制御部１３は、プロセッサによって実行される各種プログラムを記憶するメモリ、プログラム実行時のワークエリアとなるメモリ、ナビゲーション装置の各種設定データを記憶するメモリ、後述する車両の履歴情報を記憶するメモリ等の各種メモリ（図示せず）を含んでいる。これらのメモリは、その用途に応じて、アクセス速度、記憶容量、揮発性と不揮発性の別等の異なる複数種類のメモリが用いられる。
【００２７】
制御部１３に含まれるメモリに記憶される前述の履歴情報は、車両の存在位置と走行日時とを対応付けたものである。記憶される車両の存在位置は、位置検出部１１で検出された位置情報（経度情報及び緯度情報）である。経度情報及び緯度情報とともに、その位置に対応付けられる道路特定情報、道路リンク情報を合わせて記憶してもよい。道路リンク情報としては、カーナビゲーション装置によって取得できるＶＩＣＳリンク情報を利用することができる。履歴情報の記憶は、例えば、車両の停止時の位置情報と日時情報を対応させて記憶することによって行う。また、車両移動中は、一定時間毎又は一定距離走行毎に、位置情報と日時情報を対応させて記憶する。なお、日時情報は、制御部１３が所有する計時手段（図示せず）からの情報を利用する。
【００２８】
操作部１４は、ナビゲーション装置の各種操作を行うもので、操作スイッチ群やリモコン装置（いずれも図示せず）を含む。操作スイッチ群は、表示装置１５の周辺に配置されたメカニカルスイッチや表示装置１５の液晶ディスプレイ上に形成されたタッチスイッチ等で構成される。
【００２９】
表示部１５は、ナビゲーション時の地図情報、操作メニュー、入力データ等の表示を行うもので、液晶ディスプレイによって構成される。音声出力部１６は、音声合成回路、アンプ、スピーカ等を含んで構成され、制御部１３で生成された音声情報に基づき、ナビゲーション時や操作入力時の音声ガイダンス等を出力するものである。なお、表示部１５及び音声出力部１６は、ナビゲーション時の画像情報や音声情報だけでなく、メモリカード１０に記憶された情報に基づく画像情報や音声情報の出力を可能としてもよい。その場合、制御部１３には、メモリカード１０に記憶された情報に基づく画像情報や音声情報を出力するためのプログラムも実行可能としておく。
【００３０】
メモリカードＩ／Ｆ部１７は、デジタルカメラの撮影画像情報の記録等に利用されるメモリカード１０の情報の入出力を行うものである。メモリカード１０は、例えば、デジタルカメラの撮影画像情報を記憶するメモリカードである。
【００３１】
以上の構成を有するナビゲーション装置は、操作部１４の設定操作にしたがって、所定のナビゲーション動作を行う。ナビゲーション動作は従来のものと同様であるので説明を省略する。このナビゲーション装置は、車両の存在位置（経度情報及び緯度情報）と走行日時とを対応付けた履歴情報を記憶する。
【００３２】
次に、外部の記憶装置であるメモリカード１０に記憶された日時情報を入力し、入力日時情報が示す日時に対応する車両の存在位置を特定する位置特定情報を出力する場合の動作を、図２に示すフローを用いて説明する。メモリカード１０は、デジタルカメラに装着されるものであって、撮影画像情報を撮影画像ファイルとして記憶するものである。撮影画像ファイルには、付加情報として撮影日時情報の記憶が可能である。
【００３３】
メモリカード１０がメモリカードＩ／Ｆ部１７に装着されたことを検出すると、ステップＳ２０１で、メモリカード１０に撮影画像ファイルが記憶されているか否かを判断し、撮影画像ファイルが記憶されていないと判断された場合は、処理を終了する。
【００３４】
メモリカード１０に撮影画像ファイルが記憶されていると判断されると、１画像ファイル又は所定の枚数分の画像ファイルを読み出し（ステップＳ２０２）、読み出した画像ファイルに含まれる撮影画像データに基づく撮影画像を表示部１５に表示する（ステップＳ２０３）。メモリカード１０から読み出す画像ファイルの数は、表示部１５に同時に表示する画像の数とする。このように、撮影画像を表示部１５に表示することによって、撮影画像の確認と、後述する位置特定情報のメモリカード１０への記憶の要否を判断することができるが、表示部１５への表示は省略してもよい。
【００３５】
表示部１５への撮影画像の表示後、読み出した撮影画像ファイルに撮影日時情報が記憶されているか否かを判断し（ステップＳ２０４）、記憶されている場合は、位置特定情報抽出処理を行う（ステップＳ２０５）。
【００３６】
図３に、ステップＳ２０５の位置情報抽出処理の概略フローを示す。ステップＳ３０１で、撮影画像ファイルから日時情報を抽出し、抽出した日時情報が示す日時における車両の存在位置を確定する（ステップＳ３０２）。ステップＳ３０２の処理は、制御部１３に記憶された履歴情報を参照して行う。抽出した日時情報が示す日時における車両の存在位置が記憶されていない場合は、その前後の日時の車両の存在位置から求める。この場合、時間的に近い日時の存在位置を採用してもよいし、前後の日時の存在位置から補間した位置を採用してもよい。存在位置情報として経度情報及び緯度情報に加えて道路特定情報が記憶されている場合は、その道路特定情報も利用して存在位置を特定する。
【００３７】
車両の存在位置が特定されると、特定された存在位置に基づく位置特定情報を抽出する（ステップＳ３０３）。位置特定情報は、利用者がその位置を特定するための情報であり、例えば、住居表示情報等の地名情報、山や高層建築物等、視覚的に目立って特定地域の景観を特徴づける目印であるランドマーク情報等を利用することができる。地名情報やランドマーク情報は、ナビゲーションに利用する地図データ（各種データベース）を参照して求める。なお、位置特定情報として、経度情報及び緯度情報をそのまま用いても問題はない。
【００３８】
ステップＳ２０５で位置特定情報が抽出されると、抽出された位置特定情報の出力処理を行う（ステップＳ２０６）。図４に、位置特定情報出力処理の概略フローを示す。ステップＳ４０１では、抽出した位置特定情報を表示部１５に表示する。表示は、例えばテキスト情報で行い、表示部１５に撮影画像を表示している場合は、対応する撮影画像に重畳して表示する。その時、合わせて音声出力部１６から音声情報を出力してもよい。また、位置特定情報の表示は、地図情報に存在位置を示すマークを重畳表示することで行ってもよい。
【００３９】
位置特定情報が表示部１５に表示されると、ステップＳ４０２で、抽出された位置特定情報を撮影画像ファイルに記憶するかどうかの判断を行う。この判断は、利用者が操作部１４の特定のスイッチを操作したかどうか（特定のパネル位置を押下したかどうか）を検出することによって行う。記憶指示がされた場合は、ステップＳ４０３で、位置特定情報をメモリカードの撮影画像ファイルに追加記憶する。なお、位置特定情報の表示出力や音声出力は必須ではなく、抽出された位置特定情報の記憶のみを行うようにしてもよい。この場合、記憶指示操作の有無の検出も省略可能である。
【００４０】
ステップＳ２０６の位置特定情報出力処理が終了すると、メモリカード１０から全ての撮影情報ファイルが読み出されたか否かを判断する（ステップＳ２０７）。全ての撮影画像ファイルの読み出しがされている場合は、処理を終了し、残っている場合は、ステップＳ２０２以降の処理を繰り返す。
【００４１】
図１のナビゲーション装置は、以上のような処理を行うので、デジタルカメラの撮影画像ファイルを記憶するメモリカード１０をメモリカードＩ／Ｆ部１７に装着することにより、撮影日時に対応する位置特定情報がメモリカード１０に出力され、撮影画像ファイルに撮影地点情報を示す付加情報として追加記憶される。すなわち、デジタルカメラの撮影画像ファイルが、車両を利用した旅行中等に生成されたものである場合、画像の撮影日時情報に対応する車両の存在位置は、ほぼ撮影地点情報に一致することになる。
【００４２】
（第２の実施の形態）
図５に、本発明の第２の実施の形態のカーナビゲーション装置の概略構成を示す。図５のカーナビゲーション装置は、図１に示すナビゲーション装置に、外部機器インタフェース部（外部機器Ｉ／Ｆ部）１８を付加したものである。
【００４３】
外部機器Ｉ／Ｆ部１８は、外部の電子機器３０との間で有線によってデータの送受信を行うものである。電子機器３０は、デジタルカメラやビデオカメラであり、内蔵された記憶装置（内部メモリ）３１に記憶された情報をカーナビゲーション装置に送信可能に構成される。電子機器３０と外部機器Ｉ／Ｆ部１８は、例えばＵＳＢ接続され、その時、電子機器３０の内部メモリ３１は、カーナビゲーション装置からみると外部記憶装置として動作するように設定される。
【００４４】
外部機器Ｉ／Ｆ部１８を除く要素は、図１のカーナビゲーション装置の要素と同様であるので説明を省略する。なお、メモリカードＩ／Ｆ部１７は、省略してもよい。
【００４５】
図５のカーナビゲーション装置の動作は、日時情報の入力が電子機器３０の内部メモリ３１から行われることを除いて、図１のカーナビゲーション装置の動作とほぼ同様であるので説明を省略する。例えば、電子機器３０がデジタルカメラで、内部メモリ３１が撮影画像ファイルを記憶している場合、図２に示すようなフローで、撮影画像ファイルに撮影地点情報を追加記憶することができる。図５のカーナビゲーション装置が、メモリカードＩ／Ｆ部１７を備え、メモリカード１０が挿入されている場合は、撮影地点情報が付加された撮影画像ファイルをメモリカード１０に記憶するようにしてもよい。
【００４６】
（第３の実施の形態）
図６に、本発明の第３の実施の形態のカーナビゲーション装置の概略構成を示す。図６のカーナビゲーション装置は、図５に示すカーナビゲーション装置の外部機器インタフェース部（外部機器Ｉ／Ｆ部）１８に換えて無線通信部１９を設けたものである。
【００４７】
無線通信部１９は、外部の電子機器４０との間で無線によってデータの送受信を行うものである。無線通信は、例えばＩｒＤＡ、ブルートゥース等の近距離無線通信が利用される。電子機器４０は、デジタルカメラやビデオカメラであり、内蔵された記憶装置（内部メモリ）４１に記憶された情報を、無線通信部４２を介してカーナビゲーション装置に送信する。したがって、内部メモリ４１に記憶された日時情報に対応する位置特定情報をカーナビゲーション装置に入力することができる。
【００４８】
図６のカーナビゲーション装置の動作は、外部の記憶装置が無線接続される電子機器４０の内部メモリ４１であることを除いて、図５のカーナビゲーション装置の動作とほぼ同様であるので説明を省略する。
【００４９】
（第４の実施の形態）
図７に、本発明の第４の実施の形態のカーナビゲーション装置の概略構成を示す。図７のカーナビゲーション装置は、図５に示すカーナビゲーション装置の外部機器インタフェース部（外部機器Ｉ／Ｆ部）１８に換えてＩＣカードリーダライタ２０を設けたものである。
【００５０】
ＩＣカードリーダライタ２０は、ＥＴＣシステムに利用されるＩＣカードに記憶された情報の読み出しが可能であり、ＩＣカードに記憶されたＥＴＣシステムによる決済を行った日時情報を、カーナビゲーション装置に入力する。制御部１３は、入力された日時情報に対応する位置特定情報を求める。そして、位置特定情報を表示部１５に表示するとともに、メモリカード１０に記憶する。表示部１５への表示とメモリカード１０への記憶のいずれか一方でもよい。この場合、決済地点はＥＴＣシステムの路側装置設置地点であるので、位置特定情報として予め路側装置設置情報を記憶しておくことにより、処理が簡単になる。位置特定情報取得及び出力動作は、図１のカーナビゲーション装置と同様であるので説明を省略する。
【産業上の利用可能性】
【００５１】
本発明にかかるカーナビゲーション装置は、必要なとき任意の時点の位置情報を簡単に出力することができ、また、撮影画像の撮影地点情報や、ＥＴＣシステムの利用地点情報の取得等に利用することができるという効果を有し、外部から入力される日時情報に対応する日時における車両位置を示す情報を出力可能なカーナビゲーション装置等として有用である。
【図面の簡単な説明】
【００５２】
【図１】本発明の第１の実施の形態のカーナビゲーション装置の概略構成を示す図
【図２】本発明の第１の実施の形態のカーナビゲーション装置の動作フローを示す図
【図３】本発明の第１の実施の形態のカーナビゲーション装置の位置特定情報抽出処理の概略フローを示す図
【図４】本発明の第１の実施の形態のカーナビゲーション装置の位置特定情報出力処理の概略フローを示す図
【図５】本発明の第２の実施の形態のカーナビゲーション装置の概略構成を示す図
【図６】本発明の第３の実施の形態のカーナビゲーション装置の概略構成を示す図
【図７】本発明の第４の実施の形態のカーナビゲーション装置の概略構成を示す図
【符号の説明】
【００５３】
１０・・・メモリカード
１１・・・位置検出部
１２・・・地図データ記憶部
１３・・・制御部
１４・・・操作部
１５・・・表示部
１６・・・音声出力部
１７・・・メモリカードインタフェース部（メモリカードＩ／Ｆ部）
１８・・・外部機器インタフェース部（外部機器Ｉ／Ｆ部）
１９・・・無線通信部
２０・・・ＩＣカードリーダライタ
２１・・・ＥＴＣカード
３０、４０・・・電子機器
３１、４１・・・内部メモリ
４２・・・無線通信部
【図１】
2005300489.tif 000003
【図２】
2005300489.tif 000004
【図３】
2005300489.tif 000005
【図４】
2005300489.tif 000006
【図５】
2005300489.tif 000007
【図６】
2005300489.tif 000008
【図７】
2005300489.tif 000009